(57)【要約】【課題】炊飯したごはんを被調理材に使ってパンを作成するようにして、簡単にごはんを使ったおいしいパンができる自動製パン機を提供することを目的とする。【解決手段】温度検出手段２７で検出された被調理材４０の温度に基づき、加熱手段２６および撹拌手段２４を駆動制御し、被調理材４０の混合から焼成までを自動的に行う制御部２９とを備え、少なくとも被調理材４０の一部に炊飯されたごはんを用いてパンを作成するごはんパン工程を有し、前記ごはんパン工程が選択された際には被調理材４０に使用する炊飯されたごはんを撹拌手段２４にて予め撹拌した後、粉自動投入器３０にて粉を投入する自動製パン器。【選択図】図１
2013223559.tif 000002
【特許請求の範囲】
【請求項１】
被調理材を収容する容器と、
前記容器の周囲に配設し前記容器を加熱する加熱手段と、
前記容器内の被調理材を撹拌する撹拌手段と、
前記被調理材の温度を直接的或いは間接的に検出する温度検出手段と、
前記容器上部に配設し発酵補助剤を投入する粉自動投入器と、
操作条件を設定する操作部と、
前記操作部で設定された条件と、前記温度検出手段で検出された前記被調理材の温度に基づき、前記加熱手段および前記撹拌手段を駆動制御し前記被調理材の混合から焼成までを自動的に行う制御手段とを備え、
少なくとも前記被調理材の一部に炊飯されたごはんを用いてパンを作成するごはんパン工程を有し、
前記ごはんパン工程が選択された際には被調理材に使用する炊飯されたごはんを撹拌手段にて予め撹拌した後、前記粉自動投入器にて粉を投入する自動製パン器。
【請求項２】
撹拌手段にて被調理材を撹拌する際には前記撹拌手段を間欠的に動作させるようにした請求項１に記載の自動製パン器。
【請求項３】
撹拌手段の間欠的動作は所定時間経過後に行う請求項２に記載の自動製パン器。
【請求項４】
撹拌手段のトルクを検出するトルク検出部をさらに備え、前記トルク検出部の検出結果により前記撹拌手段の回転数を制御する請求項１または請求項２に記載の自動製パン器。
【請求項５】
被調理材が容器の底部近傍に位置した事を検出する位置検出部をさらに備え、被調理材が容器の底部近傍に位置したことを前記位置検出部が検出した時に撹拌手段を再駆動させる請求項１または請求項２に記載の自動製パン器。
【発明の詳細な説明】
【技術分野】
【０００１】
本発明は、主として一般家庭で手軽にパンを焼くことができる自動製パン器に関して、特に、炊飯したごはんを被調理材に用いて米パンを自動的に製パンする自動製パン器に関する。
【背景技術】
【０００２】
古くから食パンや菓子パン等のパン作りは、温度管理が難しいイースト菌を必要とすること、捏ねを十分に行わなければ出来映えの良いものが得られず業務用の製パン器に頼っていた。
【０００３】
例えば、パン作りの一連の工程は、先ず、水を始めとして小麦粉、塩、砂糖、スキムミルク、シヨートニングのミックス粉と、ドライイーストを水に触れないようにしてパンケース内に投入した後、それぞれの材料を十分に混合する捏ね工程と、その後捏ね上った生地を休めて２５〜３２度程度に加温して発酵させて膨らませる一次発酵工程と、その後、生地を僅かの時間捏ねて生地中の余分なガス（気泡）を抜くガス抜き工程と、その後生地内に残ったガスをつぶさないようにして成形する生地丸め工程と、さらにその後、生地を１時間程度休ませて発酵させる二次発酵工程と、その後１６０〜１８０度で焼く焼成工程とから構成されており、これらの工程を順序よく進めなければならない。
【０００４】
そこで、パン材料の捏ねから焼成までの種々の工程をマイクロコンピュータのプログラムに基づいて自動的に実行する自動製パン器を開発し、一般家庭で手軽にパンを焼くことができる自動製パン器が世の中に普及してきている（例えば、特許文献１参照）。
【０００５】
図１１は特許文献１に記載された自動製パン器のレーズン入り食パンの調理工程図である。図１１に示すように、従来の自動製パン器はパン材料の捏ねから焼成までの種々の工程をマイクロコンピュータのプログラムに基づいて自動的に実行するようになっていて、一般家庭で手軽にパンを焼くことができるようになっている。
【０００６】
また、低コストで取り扱いが簡単な製パン器能付き炊飯器も考えられた（例えば、特許文献２参照）。
【０００７】
図１２は特許文献２に記載された製パン器能付き炊飯器の炊飯時の状態を示す断面図である。
【０００８】
図１２に示すように、製パン器能付き炊飯器によれば、容器１は加熱室２内に着脱自在に設けられ、容器１の開口部は内蓋３によって選択的に塞ぐことが可能となり、練り羽根４はモータと制御部とによって選択的に回転される。そのため、内蓋３を付すことで容器１を密封して炊飯を行うことができ、内蓋３を取り外した状態で練り羽根４を回転させて製パンを行うことができる。従って、容器１を共通にして炊飯と製パンを行うことができるので、コスト的に有利である。また、容器１を加熱室２から取り外して洗浄作業、洗米を入れる作業などを行うことができるとともに、容器１を加熱室２に入れるだけで係合部を介して練り羽根４とモータとの連結が行われるので、取り扱いが簡単である。
【０００９】
さらに、近年、食生活の欧米化、消費者の嗜好の変化等により米の消費量が低迷してきていることから、この低迷に歯止めをかけ、より米の消費量の増大を図る取り組みが推進されている。その推進策として、米を主原料としたこれまでの加工食品、例えば餅、煎餅、団子等以外にも広げるべく、米を主原料にした製パン技術が開発され、米粉パンが市販
されている。この米粉パンは、小麦粉パンに比べて、含有水分量が多く、しっとりした重みと良好な感触が得られ、また餅のように喉に詰まる恐れが少なく、更に少量を食するだけで満腹感が得られることから、消費者間で人気を博しており、更にまた、小麦粉を混入しない米粉パンは小麦アレルギーを持つ消費者にとって待望された食材となってきている。
【００１０】
そこで、より簡易に米粉パンができるように、米粉を入手しなくても、自動製パン器で家庭にある米をそのまま粉砕してパンにする装置が考えられた（例えば、特許文献３参照）。
【００１１】
図１３は特許文献３に記載された従来の生地製造器の断面図、図１４は加熱調理食品生地製造工程の全体フローチャートである。
【００１２】
図１４に示すように、加熱調理食品生地製造方法は、所定量の穀物粒と所定量の液体の混合物の中で粉砕ブレードを回転させて穀物粒を粉砕する粉砕工程＃２０と、粉砕穀物粒と液体の混合物からなる生地原料を練りブレードで生地に練り上げる練り工程＃３０からなる。
【００１３】
そして、穀物粒からパン用の生地を製造するときは、図１３に示すように生地製造器１１を次のように用いる。蓋１２を外し、容器１３の中に所定量の穀物粒と所定量の液体を入れた後、再び蓋１２を嵌め込んで、粉砕前含浸工程＃１０を実行する。粉砕前含浸工程＃１０の間、加熱手段１４で容器を加熱し、液体（この場合は水）の温度を上げると含浸が進む。粉砕前含浸工程の最初でブレード１５を回転させ、その後も時々ブレード１５を回転させて穀物粒の表面に傷をつけると、穀物粒の吸液が促され、含浸を早く完了させることができる。
【００１４】
粉砕工程＃２０に入ったらブレード１５を高速回転させ、穀物粒を粉砕する。これにより、粉砕穀物粒と液体の混合物からなる生地原料が形成される。練り工程＃３０ではブレード１５を低速回転させ、生地原料を捏ねて一つにつながった生地を練り上げる。
【００１５】
練り工程＃３０の冒頭で蓋１２を開け、所定量のグルテンと、必要に応じ所定量の調味材料を生地原料に投入する。蓋１２を閉じ、ブレード１５を低速回転させて、生地原料及びそれに投入されたグルテンや調味材料を混練する。この過程で生地の温度が上昇するので、後に投入される発泡誘起材料がドライイーストである場合には、適当なタイミングで冷却手段１６により容器１１を冷却し、中の生地を冷やす。なお冷却の場合も加熱の場合も、容器１１の温度を温度センサ１７で監視し、正確な温度が得られるようにする。
【００１６】
発泡誘起材料を投入する時機になったら、蓋１２を開けて生地に所定量の発泡誘起材料を投入する。蓋１２を閉め、ブレード１５を低速回転させて生地と発泡誘起材料を混練し、生地を完成させる。
【００１７】
その後、生地を容器１１から取り出して、あるいは生地を容器１１に入れたままで、生地の発泡が進むのを待つ。所望の発泡を得られたら生地をパン焼き装置に入れ、パンを焼く。
【００１８】
このように、同一の容器１１内で粉砕前含浸工程＃１０から練り工程＃３０まで進行させることにより、ある工程から他の工程に移行する際に内容物を別の容器に移し替える必要がなく、時間を短縮できる。また、穀物粒や生地原料の一部が前の工程で使用した容器の内面に残り、少しずつ目減りするという問題もなくなる。
【先行技術文献】
【特許文献】
【００１９】
【特許文献１】特開２００２−３６０４４１号公報
【特許文献２】特開２００８−１８１２２号公報
【特許文献３】特開２０１０−３５４７５号公報
【発明の概要】
【発明が解決しようとする課題】
【００２０】
しかしながら、特許文献１で用いられるパンの材料は、小麦粉を主原料とするものを主としてあり、特に、米を材料として改善されたものではなく、また、特許文献２では炊飯機能は有するもの、特許文献１と同様に、製パンに関しては米を材料として改善されたものではない。
【００２１】
さらに、特許文献３では、米粉を入手しなくても、より簡易に米粉パンができるように、製粉工程を経ることなく穀物粒（具体的には米粒）から加熱調理食品生地を製造する方法として、所定量の穀物粒と所定量の液体の混合物の中で粉砕ブレード１５を回転させて穀物粒を粉砕する粉砕工程を有するようになっているが、所定量の穀物粒を粉砕するようになっているため、どうしても、粉砕に関する課題を生じてしまっていた。
【００２２】
そして、粉砕に関する課題としては、液体の混合物の中で粉砕ブレード１５を回転させて穀物粒を粉砕して微細粒とするためには、非常に多くの時間を要してしまうとともに、粉砕ブレード１５を回転させて穀物粒を粉砕するときには、非常に大きな音が伴い、夜間に穀物粒を粉砕することがためらわれるという心配もあった。
【００２３】
本発明は、前記従来の課題を解決するもので、炊飯したごはんを被調理材に使ってパンを作成するようにして、簡単にごはんを使ったおいしいパンができる自動製パン器を提供することを目的とする。
【課題を解決するための手段】
【００２４】
前記従来の課題を解決するために、本発明の自動製パン器は、被調理材を収容する容器と、前記容器の周囲に配設し前記容器を加熱する加熱手段と、前記容器内の被調理材を撹拌する撹拌手段と、前記被調理材の温度を直接的或いは間接的に検出する温度検出手段と、容器上部に配設し発酵補助材を投入する粉自動投入器と、操作条件を設定する操作部と、前記操作部で設定された条件と、前記温度検出手段で検出された前記被調理材の温度に基づき、前記加熱手段および撹拌手段を駆動制御し前記被調理材の混合から焼成までを自動的に行う制御手段とを備え、少なくとも前記被調理材の一部に炊飯されたごはんを用いてパンを作成するごはんパン工程を有し、前記ごはんパン工程が選択された際には被調理材に使用する炊飯されたごはんを撹拌手段にて予め撹拌した後、前記粉自動投入器にて粉を投入する構成としてある。
【００２５】
上記した構成により、被調理材の一部に少なくとも炊飯されたごはんを用いてパンを作成するごはんパン工程を有するようにしてあるので、ごはんを被調理材としたパンにおいて、米を米粉に粉砕する必要がないため、製パンする際の時間の短縮が図れると共に、静音化が図れるようになる。また、米の粉砕による米粒のデンプンが損傷を生じて膨らみが悪くなる心配もなく、簡単にごはんを使ったおいしいパンができるようになる。
【００２６】
特に、炊飯されたごはんとその他の被調理材に米粉などのグルテンを含まない被調理材を用いたパンにおいては、小麦を用いていないので、小麦アレルギーの人でも食べられるようになるが、小麦に比べ、米粉は水を多量に含み、小麦パンが膨らむ要素のグルテンを有しておらず、グルテンの代替品を用いても膨らみにくいため、捏ね方や水分量など作り
方が難しく、パン材料の捏ねから焼成までの種々の工程を自動製パン器で一貫して行うことで、できあがりが安定した炊飯されたごはんの製パンができるようになる。
【００２７】
またこのとき、炊飯されたごはんは小麦などの粉に比べて粘性が高いため、撹拌手段を連続で動作させると被調理材が撹拌手段の遠心力により撹拌手段に接触しない状態が生じる。これを解消するため間欠的に動作させれば確実に撹拌手段に接触できるようになり、また予め炊飯したごはんのみを撹拌手段で撹拌してから粉を投入するため、炊飯したごはんを確実にすり潰すことができる。
【発明の効果】
【００２８】
本発明の自動製パン器は、炊飯されたごはんを被調理材として用いるので、ごはんを被調理材としたパンにおいて、米を米粉に粉砕する必要がないため、製パンする際の時間の短縮とが図れると共に、静音化が図れ、パン材料の捏ねから焼成までの種々の工程を自動製パン器で一貫して行うことで、できあがりが安定した炊飯されたごはんの製パンができるようになる。
【図面の簡単な説明】
【００２９】
【図１】本発明の実施の形態１における自動製パン器の要部断面図
【図２】本発明の実施の形態１における自動製パン器の制御ブロック図
【図３】本発明の実施の形態１における自動製パン器の操作部の表示例図
【図４】本発明の実施の形態１におけるごはんを用いて作成するパンの工程図
【図５】本発明の実施の形態１におけるごはんを用いて作成するパンの工程の流れ図
【図６】本発明の実施の形態２における撹拌手段を連続的に動作された場合の被調理材の状態図
【図７】本発明の実施の形態３における自動製パン器の要部断面図
【図８】本発明の実施の形態３における撹拌手段の制御内容を示す流れ図
【図９】本発明の実施の形態４における自動製パン器の要部断面図
【図１０】本発明の実施の形態４における撹拌手段の制御内容を示す流れ図
【図１１】特許文献１に記載された従来における自動製パン器のレーズン入り食パンの調理工程図
【図１２】特許文献２に記載された従来における製パン器能付き炊飯器の炊飯時の状態を示す断面図
【図１３】特許文献３に記載された従来における生地製造器の断面図
【図１４】特許文献３に記載された従来における加熱調理食品生地製造工程の全体フローチャート
【発明を実施するための形態】
【００３０】
従来の課題を解決するために、第１の発明の自動製パン器は、被調理材を収容する容器と、前記容器の周囲に配設し前記容器を加熱する加熱手段と、前記容器内の被調理材を撹拌する撹拌手段と、前記被調理材の温度を直接的或いは間接的に検出する温度検出手段と、容器上部に配設し発酵補助剤を投入する粉自動投入器と、操作条件を設定する操作部と、前記操作部で設定された条件と、前記温度検出手段で検出された前記被調理材の温度に基づき、前記加熱手段および撹拌手段を駆動制御し前記被調理材の混合から焼成までを自動的に行う制御手段とを備え、少なくとも前記被調理材の一部に炊飯されたごはんを用いてパンを作成するごはんパン工程を有し、前記ごはんパン工程が選択された際には被調理材に使用する炊飯されたごはんを撹拌手段にて予め撹拌した後、前記粉自動投入器にて粉を投入する構成としてある。
【００３１】
そして、被調理材の一部に少なくとも炊飯されたごはんを用いてパンを作成するごはんパン工程を有するようにしてあるので、ごはんを被調理材としたパンにおいて、米を米粉
に粉砕する必要がないため、製パンする際の時間の短縮とが図れると共に、静音化が図れるようになる。また、米の粉砕による米粒のデンプンが損傷を生じて膨らみが悪くなる心配もなく、簡単にごはんを使ったおいしいパンができるようになる。
【００３２】
特に、炊飯されたごはんとその他の被調理材に米粉などのグルテンを含まない被調理材を用いたパンにおいては、小麦を用いていないので、小麦アレルギーの人でも食べられるようになるが、小麦に比べ、米粉は水を多量に含み、小麦パンが膨らむ要素のグルテンを有しておらず、グルテンの代替品を用いても膨らみにくいため、捏ね方や水分量など作り方が難しく、パン材料の捏ねから焼成までの種々の工程を自動製パン器で一貫して行うことで、できあがりが安定した炊飯されたごはんの製パンができるようになる。
【００３３】
また、炊飯されたごはんを撹拌手段にて予め撹拌した後、粉自動投入器にて粉を投入するため、確実にごはんをすり潰すことができ、できあがりが安定した、炊飯されたごはんの製パンができるようになる。
【００３４】
また、第２の発明の自動製パン器は、特に第１の発明の撹拌手段を、被調理材を撹拌する際には前記撹拌手段を間欠的に動作させるようにした構成としている。
【００３５】
炊飯したごはんは小麦などの粉と比べて粘性が高く、撹拌手段を連続で動作させると被調理材が撹拌手段の遠心力により撹拌手段より上部に位置し、撹拌手段に接触しない状態が生じて炊飯したごはんを上手くすり潰すことができなくなる。このため、間欠的に動作させて遠心力が発生しない期間を設けるようにすれば、被調理材が落ちて確実に撹拌手段に接触するようになる。その結果、確実に炊飯したごはんをすり潰すことができるため、できあがりが安定した、炊飯されたごはんの製パンができるようになる。
【００３６】
また、第３の発明の自動製パン器は、特に第２の発明において、撹拌手段の間欠的動作は所定時間経過後に行う構成としている。
【００３７】
十分に被調理材が落ちて撹拌手段に接触する所定時間を設定し、その所定時間の間撹拌手段を停止させれば確実に被調理材が撹拌手段に接触できる。その結果、炊飯したごはんを確実にすり潰すことができる。
【００３８】
また、第４の発明の自動製パン器は、特に第１または第２の発明の撹拌手段において、トルクを検出するトルク検出部をさらに備え、前記トルク検出部の検出結果により前記撹拌手段の回転数を制御する構成としている。
【００３９】
トルクが低い場合は被調理材が撹拌手段の遠心力によって撹拌手段の上部に位置している状態であると捉えることができる。このため、撹拌手段の遠心力を抑える回転数にまで落とせば被調理材が十分撹拌手段に接触できるようになり、その結果、確実に炊飯したごはんをすり潰すことができる。
【００４０】
また、第５の発明の自動製パン器は、特に第１または第２の発明において、被調理材が容器の底部近傍に位置した事を検出する位置検出部をさらに備え、被調理材が容器の底部近傍に位置したことを前記位置検出部が検出した時に撹拌手段を再駆動させる構成としている。
【００４１】
このとき、被調理材が容器の底部近傍に位置していることは、被調理材が撹拌手段に接触できる状態であると捉えることができる。このため、この状態で撹拌手段を再駆動させれば確実に炊飯したごはんをすり潰すことができる。
【００４２】
以下、本発明の実施の形態について、図面を参照しながら説明する。なお、この実施の形態によって本発明が限定されるものではない。
【００４３】
（実施の形態１）
図１は本発明の実施の形態１における自動製パン器の要部断面図、図２は本発明の実施の形態１における自動製パン器の制御ブロック図、図３は本発明の実施の形態１における自動製パン器の操作部の表示例図、図４は本発明の実施の形態１におけるごはんを用いて作成するパンの工程図、図５は本発明の実施の形態１におけるごはんを用いて作成するパンの工程の流れ図である。
【００４４】
図１、図２に示すように、本実施の形態における自動製パン器は、機器本体２１内部に設けた加熱室（焼成室）２２と、加熱室２２内に着脱自在に収納され被調理材４０を収容する容器（焼成ケース）２３が配設してある。この容器２３内には被調理材４０を撹拌する撹拌手段の練り羽根２４が設けてあり、製パン中または炊飯時において練り羽根２４により被調理材４０を撹拌するようになっている。また、機器本体２１の上部には開口部を覆う開閉自在な外蓋２５が設けてあり、加熱室２２内の下方の容器２３の外周に位置して外周部より容器２３を加熱する加熱手段２６が設けてある。そして、容器２３の温度を検知して被調理材４０の温度を間接的に検出する温度検出手段２７が容器２３に当接して設けてあり、温度検出手段２７で検出された前記被調理材４０の温度に基づき、機器本体２１上部に配設した操作部２８で設定された設定内容に対応する所定のシーケンスで、制御部２９によって前記加熱手段２６および練り羽根２４を駆動制御し前記被調理材４０の炊飯あるいは混合から焼成までを自動的に行うようになっている。
【００４５】
なお、機器本体２１の上部の外蓋２５の内部には、イースト菌や小麦粉などの粉を投入する粉自動投入器３０と、具材を投入する具材自動投入器３１が配設してあり、さらに、機器本体２１の適所に上部の外蓋２５内を冷却してイースト菌を冷却する冷却ファン３２と冷却ファン３２の空気を取り入れる吸気口３３および排気口３４が設けてあり、イースト菌を冷却して常温に保つようにしてある。さらに、粉自動投入器３０には、粉が固まって落ちにくいので、粉自動投入器３０に接して振動を与えて粉を落としやすいようにバイブレーター３５が設けてある。
【００４６】
また、図３に示すように、操作部２８には、小麦粉を主とした従来の小麦パン工程と炊飯されたごはんを用いて作成するごはんパン工程を選択する工程選択手段３６と、表示部３７が設けてあり、表示部３７に工程毎の設定内容を表示し、例えば食パンやレーズンなどの具入りパンなどのそれぞれの工程に共通のメニューと、上記工程の単独メニューを表示してメニュー選択手段３８で選べるようになっている。
【００４７】
また、操作部２８で設定条件に基づき運転を開始させるスタートボタン３９が配設されている。
【００４８】
以上のように構成された自動製パン器について、ごはんパン工程におけるパンの作成について図４を用いて説明する。
【００４９】
ステップ（以下、Ｓと表示する）１０１において、操作部２８でごはんパン工程を選択する。つぎに、Ｓ１０２において、表示部３７に、例えば食パンやレーズンなどの具入りパンなどの共通のメニューあるいはごはんパンの個別のメニューを表示して、Ｓ１０３において、メニュー選択手段３８で選択する。
【００５０】
Ｓ１０４において、使用者が確認して容器２３に米や水、その他の被調理材４０を投入するとともに、粉自動投入器３０にグルテン、小麦粉等の粉品やイースト菌を、そして、
具材自動投入器３１に具材を所定量セットする。Ｓ１０５において、スタートボタン３９を押して、該機器の製パンを開始させる。Ｓ１０６において、操作部２８で設定された設定内容に対応する所定のシーケンスで、温度検出手段２７で検出された被調理材４０の温度に基づき、加熱手段２６および練り羽根２４を駆動制御し、炊飯、ねり、発酵、焼き上げを組み合わせて、炊飯したごはんを用いたパンを作成する。
【００５１】
ここで、炊飯、ねり、発酵、焼き上げのシーケンスについて、簡単に説明する。
【００５２】
図５に示すように、Ｓ１１１において容器２３内で炊飯し、Ｓ１１２において練り羽根２４を用いて炊飯されたごはんをすり潰し、Ｓ１１３において粉自動投入器３０によって小麦粉等の粉品やイースト菌を投入し、Ｓ１１４において練りを行い炊飯されたごはんと小麦粉等の粉品やイースト菌を混ぜるとともに、Ｓ１１２からＳ１１４の間で、炊飯したごはんをイースト菌の最も活動的する温度になるように温度調節していく。このとき、温度検出手段２７で検出された被調理材４０の温度が高いときにはイースト菌を常温に保つために設けた冷却ファン３２あるいは他の冷却手段で、容器２３を冷却してごはんを冷却するようにし、温度が低いときには、加熱手段２６で加熱して、最適な温度になるように温度調節する。Ｓ１１５においてメニュー設定手段３８にて具材投入が選択されていれば、Ｓ１１６にて具材自動投入器３１でレーズン等の具材を投入し、具材投入が選択されていなければＳ１１７へ進む。Ｓ１１７において被調理材４０を焼き上げ、Ｓ１１８にて焼き上がったら完成で、容器２３から取り出して完了する。
【００５３】
上述のフローでは、まず炊飯したごはんのみを練り羽根２４にてすり潰すため、炊飯したご飯が練り羽根２４に接触する機会が多く、炊飯したご飯の粒が細かくなりやすい。このため、パンに焼き上げた時の米の粒子が残りにくい利点がある。
【００５４】
なお、被調理材４０の一部に少なくとも炊飯されたごはんを用いてパンを作成するごはんパン工程を有するようにしてあるので、ごはんを被調理材としたパンにおいて、米を米粉に粉砕する必要がないため、製パンする際の時間の短縮とが図れると共に、静音化が図れるようになる。また、米の粉砕による米粒のデンプンが損傷を生じて膨らみが悪くなる心配もなく、簡単にごはんを使ったおいしいパンができるようになる。
【００５５】
（実施の形態２）
本発明の第２の実施の形態について図６を参照して説明する。なお、実施の形態１と同一構成部位については同一符号を付し、その詳細な説明は省略する。
【００５６】
練り羽根２４を連続的に動作させると、図６に示すように、練り羽根２４によって生じた遠心力により、炊飯したごはん４０が前記練り羽根２４の上部で固定されて、前記練り羽根２４に接触しなくなる状態が生じる。これは小麦に比べて炊飯したごはん４０は水分を多量に含んでいるため粘性が高く、この結果、炊飯したごはん４０は一体化しやすく、また容器２３に接着しやすいためである。
【００５７】
この状態を解消するためには、間欠的に練り羽根２４を動作させて遠心力がない状態を設け、炊飯したごはん４０が練り羽根２４に接触できるようにすれば良い。
【００５８】
このとき、練り羽根２４を間欠的に動作させる条件は時間によって決定され、各々の時間は、被調理材４０が練り羽根２４に接触しなくなる状態になる時間から被調理材４０が練り羽根２４に十分に接触できる状態になる時間になるような所定時間を実験によって予め最適な数値を決定されるものである。
【００５９】
つまり、練り羽根２４の間欠的動作は所定時間経過後に行う構成としている。十分に被
調理材である炊飯したごはん４０が落ちて練り羽根２４に接触する所定時間を設定し、その所定時間の間練り羽根２４を停止させれば確実に炊飯したごはん４０が練り羽根２４に接触できる。その結果、炊飯したごはんを確実にすり潰すことができる。
【００６０】
（実施の形態３）
練り羽根２４の別の制御方法を、図７および図８を用いて説明する。なお、実施の形態１と同一構成部位については同一符号を付し、その詳細な説明は省略する。本発明の実施の形態３の構成は、図７に示すように、トルク計４１が配設されている点で相違する。
【００６１】
一般に、トルク計４１が高い数値を示す場合は、モータに負荷がかかっている状態、すなわち被調理材４０が練り羽根２４に接触している状態のときで、トルク計４１が低い数値を示す場合は、モータに負荷がかかっていない状態、すなわち被調理材４０が練り羽根２４に接触していない状態のときである。これにより、被調理材４０と練り羽根２４の状態を把握することができる。
【００６２】
以下、図８を用いて練り羽根２４の制御方法の一例を説明する。
【００６３】
Ｓ２０１において、撹拌手段２４のトルクＴを取得する。Ｓ２０２において、取得したトルクＴが判定値Ｔ０以上であればＳ２０３へ進み、判定値Ｔ０未満であればＳ２０４へ進む。Ｓ２０３において、練り羽根２４を停止し、Ｓ２０１へ戻る。Ｓ２０４において、練り羽根２４を回転させ、Ｓ２０１へ戻る。
【００６４】
なお、トルクＴの判定値Ｔ０は、予め最適な値を実験的に決定するものである。
【００６５】
また、以上の説明では判定値は１つしかなく、練り羽根２４の状態も回転もしくは停止しかないが、判定値を複数用意し、練り羽根２４の回転状態が複数存在するようにすれば、被調理材４０の練り時間を短縮することができる。
【００６６】
（実施の形態４）
練り羽根２４の別の制御方法を、図９および図１０を用いて説明する。なお、実施の形態１と同一構成部位については同一符号を付し、その詳細な説明は省略する。本発明の実施の形態４の構成は、図９に示すように、容器２３の底部近傍に重量センサ４２が当設されている点で相違する。
【００６７】
重量センサ４２が高い数値を示す場合は、被調理材４０が底部近傍に位置している状態のときで、重量センサ４２が低い数値を示す場合は被調理材４０が底部から離れた位置に存在している状態のときである。これにより、被調理材４０が容器２３の底部近傍に位置しているかどうかを把握することができる。
【００６８】
以下、図１０を用いて練り羽根２４の制御方法の一例を説明する。
【００６９】
Ｓ２１１において、重量センサ４２を用いて重量Ｗを取得する。Ｓ２１２において、取得した重量Ｗが判定値Ｗ０以上であればＳ２１３へ進み、判定値Ｗ０未満であればＳ２１４へ進む。Ｓ２１３において、練り羽根２４を回転させ、Ｓ２１１へ戻る。Ｓ２１４において、練り羽根２４を停止し、Ｓ２１１へ戻る。
【００７０】
なお、重量Ｗの判定値Ｗ０は、予め最適な値を実験的に決定するものである。
【００７１】
また、以上の説明では判定値は１つしかなく、練り羽根２４の状態も回転もしくは停止しかないが、判定値を複数用意し、練り羽根２４の回転状態が複数存在するようにすれば
、被調理材４０の練り時間を短縮することができる。
【００７２】
また、上記の説明では被調理材４０が底部近傍に位置するかどうかを把握するのに重量センサを用いているが、容器２３の上部に位置センサを配設しても同様の効果を得ることができる。この場合は、距離が近いほど被調理材４０が底部近傍から離れた位置に存在することを示す。
【産業上の利用可能性】
【００７３】
以上のように、本発明の自動製パン器は、炊飯されたごはんを粒残りなく製パンすることができるので、家庭用あるいは業務用など様々な自動製パン器に適用できる。
【符号の説明】
【００７４】
２３  容器
２４  練り羽根（撹拌手段）
２６  加熱手段
２７  温度検出手段
２８  操作部
２９  制御部
【図１】
2013223559.tif 000003
【図２】
2013223559.tif 000004
【図３】
2013223559.tif 000005
【図４】
2013223559.tif 000006
【図５】
2013223559.tif 000007
【図６】
2013223559.tif 000008
【図７】
2013223559.tif 000009
【図８】
2013223559.tif 000010
【図９】
2013223559.tif 000011
【図１０】
2013223559.tif 000012
【図１１】
2013223559.tif 000013
【図１２】
2013223559.tif 000014
【図１３】
2013223559.tif 000015
【図１４】
2013223559.tif 000016